(57)【要約】【課題】  ハンドルを勢い良く操作した場合でも、弁体が破損することのないタンク装置を提供する。【解決手段】本発明に係るタンク装置は、洗浄水貯水用のタンクと、タンクに設けられた排水口の開閉を行う弁体と、弁体に一端が連結された連結部材と、手動により連結部材の他端を引き上げる操作部と、弁体を当接させることにより弁体の引き上げ量を制限する引き上げ量規制部材とを備えたタンク装置において、連結部材の一部または全部が、伸長可能なばねからなることを特徴とする。【選択図】  図４
2013076309.tif 000002
【特許請求の範囲】
【請求項１】
洗浄水貯水用のタンクと、前記タンクに設けられた排水口の開閉を行う弁体と、一端が前記弁体に連結された連結部材と、手動により前記連結部材の他端を引き上げる操作部と、前記弁体を当接させることにより前記弁体の引き上げ量を制限する引き上げ量規制部材とを備えたタンク装置において、前記連結部材の一部または全部が、伸長可能なばねからなることを特徴とするタンク装置。
【請求項２】
前記操作部は、前記連結部材を内部に引き込む機構と、前記機構を収容し、非洗浄時における前記タンク内の洗浄水の水位よりも高い位置に設置されるケースとを備え、前記ばねは、前記ケース内に配設されたことを特徴とする請求項１に記載のタンク装置。
【発明の詳細な説明】
【技術分野】
【０００１】
本発明は、便器に洗浄水を供給するタンク装置に係り、特に、手動で操作部を操作することにより、タンクの排水口の開閉を行う弁体を引き上げるよう構成されたタンク装置に関する発明である。 
【背景技術】
【０００２】
従来より、この種のタンク装置としては、ハンドルの回転力を利用し、ワイヤを介して排水弁内部の弁体を引上げることによりタンク内の洗浄水を便器に供給するものが知られている。このタンク装置においては、弁体上部に設けられたストッパにより排水弁の引上げ量が制限されており、大量の洗浄水を供給する大洗浄は、排水弁をこのストッパに当接するまで引き上げることによって行われる。
【先行技術文献】
【特許文献】
【０００３】
【特許文献１】中国実用新案公告第２６４１１５６号明細書
【発明の概要】
【発明が解決しようとする課題】
【０００４】
しかし、この種のタンク装置においては、大洗浄を実行する際、必ずストッパに弁体を当接させる必要があるため、使用者により勢いよくハンドルレバーが操作されると、弁体がストッパへ当接した後も、ハンドルレバーをさらに回転しようとする力が働き、それ以上引き上がらない弁体を操作部がさらに引き上げようとするため、短時間の間に、ワイヤに作用する引張り荷重が増加すると共に、弁体のストッパとの当接部に作用する圧力も急増し、弁体が破損してしまうという問題があった。
【０００５】
本発明は上述した問題点を解決するためになされたものであり、洗浄時に勢い良くハンドルレバーを回転させた場合でも、弁体の破損を防止することができるタンク装置を提供することを目的としている。
【課題を解決するための手段】
【０００６】
本発明に係るタンク装置は、洗浄水貯水用のタンクと、タンクに設けられた排水口の開閉を行う弁体と、弁体に一端が連結された連結部材と、手動により連結部材の他端を引き上げる操作部と、弁体を当接させることにより弁体の引き上げ量を制限する引き上げ量規制部材とを備えたタンク装置において、連結部材の一部または全部が、伸長可能なばねからなることを特徴とする。
【０００７】
このように構成された本発明においては、使用者が勢い良く操作部を操作し、弁体が引き上げ量規制部材に当接した後、さらに弁体を引き上げようとする力が作用した場合であっても、上記ばねが伸長することにより、従来のタンク装置と比べて、連結部材に作用する引張り荷重の増加速度を飛躍的に低減させることができる。これより、上記引張り荷重の増加に起因する、弁体のストッパとの当接部における圧力増加の増加速度も飛躍的に低減されるため、使用者がハンドルから手を離すまでに、破損に至る程の大きな圧力が弁体に作用することを回避できる。
【０００８】
本発明は、好ましくは、操作部が、連結部材を内部に引き込む機構と、この機構を収容し、非洗浄時におけるタンク内の洗浄水の水位よりも高い位置に設置されるケースとを備え、ばねは、そのケース内に配設されている。
【０００９】
このように構成された本発明においては、タンク内で飛び散った洗浄水の付着や、タンク内の洗浄水への浸水によって、ばねが腐食することを防止できる。したがって、腐食によって、ばねの弾性力が低下することがないため、より確実に弁体の破損を防止することができる。
【発明の効果】
【００１０】
本発明のタンク装置によれば、洗浄時に勢い良く操作部が操作された場合でも、弁体の破損を防止することができる。
【図面の簡単な説明】
【００１１】
【図１】本発明の実施の形態に係るタンク装置を簡略的に表す断面図。
【図２】本発明の実施の形態に係るタンク装置の操作部の拡大斜視図。
【図３】本発明の実施の形態に係るタンク装置の操作部の分解斜視図。
【図４】本発明の実施の形態に係るタンク装置の状態変化を表す簡略状態図。
【発明を実施するための形態】
【００１２】
以下、図面を参照して本発明の実施の形態について説明する。
【００１３】
図１は、本発明の実施の形態に係るタンク装置の断面図を簡略的に表したものである。図１に示すように、本実施の形態に係るタンク装置１は、操作部３、及び、タンク５の排水口（図示省略）に繋がる開口５の開閉を行う弁体９を内部に有する排水弁１１を備えており、操作部３と排水弁１１は、内部にワイヤが挿通されたワイヤ保護用チューブ１３によって連結されている。
【００１４】
このタンク装置１においては、タンク５の外側に設置されたハンドル１５を回転させることにより、タンク５に固定された本体ユニット接続部材１６内部を貫通している、ハンドル１５に連なったスピンドル２１が、ハンドル１５の回転力を本体ユニット１７内部へ伝達し、その回転力を利用して弁体９が引き上げられ、排水弁１１の開口５を通じてタンク５内の洗浄水が便器に供給される。なお、大量の洗浄水を便器へ供給する大洗浄は、弁体９上部に設けられたストッパ１９に当接するまで弁体９を引き上げることにより行われる。
【００１５】
図２、３は、それぞれ本発明の実施の形態に係るタンク装置１における操作部３の拡大斜視図及び分解斜視図である。まず、図２、３を参照しながら、本実施形態に係るタンク装置１における操作部３の各構成部品について説明する。
【００１６】
２１はハンドル１５の回転を伝達するスピンドル２１、２３はハンドル１５にスピンドル２１を固定するための固定ねじ、２５は内部にスピンドル２１が回動自在に挿入される挿通穴を有し、先端に本体ユニット１７が回動不能に装着されるスピンドルガイドである。このスピンドルガイド２５はタンク５の側面に設けられた貫通穴に回動不能に挿入後、タンク５からの抜けを防止するための抜け防止部材２７をスピンドルガイド２５の先端側の一部と嵌合させることにより取り付けを確実なものとしている。２９は挿入されたスピンドル２１のスピンドルガイド２５からの抜けを防止するためのＣリングである。３１はスピンドル２１先端に設けられたスプライン部２１aと嵌合するスプライン部３１aを内部に有する第１リンク、３３は第１リンク３１に嵌めこみ設置され、第１リンク３１が回転した際、第１リンク３１を所定の角度へ復帰させる捩りばね、３５は一端が第１リンク３１先端に設けられた突起部３１bに挿入孔３５aが回動自在に嵌合される第２リンク３５であり、３７はスピンドルガイド２５先端との嵌合部を有し、第１リンク３１、第２リンク３５を収納するケース、３９は第２リンク３５の突起部３５bの移動方向を上下方向のみに規制するスリット３９aを有する蓋体である。
【００１７】
ここで、使用者によるハンドル操作時における、操作部３のケース３７内部の各部材の動きについて説明する。ハンドル操作時、まず、ハンドル１５の回転に伴い、スピンドル２１及びスピンドル２１に嵌合された第１リンク３１がハンドル１５と同一方向に回転し、次に、第１リンク３１の先端に回動自在に嵌合された第２リンク３５の先端が、第１リンク３１の回転に伴い持ち上げられる。それに伴い、第２リンク３５先端の突起部３５bが蓋体３９のスリット３９aに沿って、上方向に移動する。使用者がハンドル操作をやめた際は、捩りばね３３の作用により、第１リンク３１がハンドル非操作時における角度に復帰する。
【００１８】
次に、操作部３と排水弁１１の弁体９との連結手段について説明する。前述したように、操作部３と排水弁１１はワイヤ保護用チューブ１３で連結されているのに対し、操作部３と弁体９は、ワイヤ保護チューブ内部に摺動可能に挿通されたワイヤ４１及びワイヤ４１先端に取り付けられた引張りばね４３により連結されている。具体的には、ワイヤ４１の一端が弁体９に連なるロッド４５の上端に取り付けられ、ワイヤ４１の他端には引張りばね４３が取り付けられる。さらに、この引張りばね４３が、図３のように、ハンドル１５の回転に応じて上下動する第２リンク３５の突起部３５bに取り付けられる。この場合、引張りばね４３はケース３７内部に収納されるため、タンク内で飛び散った洗浄水の付着や、浸水による引張りばね４３の腐食の発生を防止することができる。なお、本実施例においては、引張りばね４３のばね定数は、弁体引き上げ時に作用する、弁体の重量や、弁体が受ける水の抵抗に起因する引張り荷重程度では、ほぼ伸びがないように設定されている。
【００１９】
次に、大洗浄実行時、使用者が勢い良くハンドルを操作した場合における、引張りばね４３の挙動について説明する。図４の(a)〜(c)は、使用者が勢い良くハンドル１５を操作する場合の、各段階（操作前、ストッパ１９への弁体９当接時、ストッパ１９への弁体９当接後）における、引張りばね４３、ワイヤ４１、操作部３及び排水弁１１との関係を理解しやすくするために簡略的に表された状態図である。
【００２０】
操作前においては、図４(a)のように、ハンドル１５が操作されていないため、第１リンク３１は回転しておらず、したがって、第２リンク３５の突起部３５bが、最も低い位置に位置している。つまり、引上げ量がゼロの状態である。このとき、弁体９は、排水弁１１の開口５を塞いでおり、また、引張りばね４３には引張り荷重が作用しておらず、引張りばね４３の伸びはない。
【００２１】
操作後、弁体９がストッパ１９に当接した時点では、図４(b)のように、ハンドル１５の回転に伴って、第１リンク３１が回転した状態にあり、第２リンク３５の突起部３５bが、最も低い位置から、規制された弁体９引上げ量分だけ、スリット３９aに沿って上方向に移動した状態となっている。このとき、ばねに作用する引張り荷重としては、弁体９の重量、弁体９上昇時に弁体９が受ける水の抵抗等が上げられるが、前述したように、本実施例のばねは、これらに起因する引張り荷重では、ほぼ伸びがないようなばね定数に設定されているため、この状態においても、引張りばね４３の伸びはほとんどない。
【００２２】
弁体９がストッパ１９に当接した後、さらにハンドル１５を回転させることにより、弁体９を引き上げようとする力が作用した場合は、図４(c)のように、ハンドル１５の回転に伴い、ワイヤ４１及び引張りばね４３に作用する引張り荷重が大きくなるが、引張りばね４３が伸長するために、操作部３と弁体９とを連結する従来の連結部材と比較して、連結部材（ワイヤ４１及び引張りばね４３）に作用する引張り荷重の増加速度を飛躍的に低減させることができる。よって、上記引張り荷重の増加に起因する、弁体９のストッパ１９との当接部に作用する圧力上昇についても、その圧力増加速度を飛躍的に低減させられるため、操作後、使用者がハンドル１５から手を離すまでの間に、破損に至る程の圧力を弁体９に作用させることを回避できる。したがって、例え使用者によりハンドル１５が勢い良く操作されたとしても、弁体９が破損することはない。また、弁体９がストッパ１９に当接した後も、さらにハンドル１５を洗浄方向に回転させることが可能であり、従来のように、弁体９がストッパ１９に衝突した際、突然、ハンドルの回転が止まってしまうということがないため、ハンドルの操作性の向上にも貢献する。  
【００２３】
以上、本発明のタンク装置について、その実施例に基づいて説明したが、本発明は上記実施例に記載した構成に限定されるものではなく、その趣旨を逸脱しない範囲において適宜その構成を変更することができるものである。例えば、上記引張りばね４３は、他種のばねであってももちろん構わない。また、用いられるばねのばね定数も、タンク装置の仕様に応じて、適宜の変更が可能であることは言うまでもない。
【符号の説明】
【００２４】
１…タンク装置
３…操作部
５…タンク
７…開口
９…弁体
１１…排水弁
１３…ワイヤ保護用チューブ
１５…ハンドル
１６…本体ユニット接続部材
１７…本体ユニット
１９…ストッパ
２１…スピンドル
２１a…スプライン部
２３…固定ねじ
２５…スピンドルガイド
２７…抜け防止部材
２９…Cリング
３１…第１リンク
３１a…スプライン部
３１b…突起部
３３…捩りばね
３５…第２リンク
３５a…挿入孔
３５b…突起部
３７…ケース
３９…蓋体
３９a…スリット
４１…ワイヤ
４３…引張りばね
４５…ロッド
【図１】
2013076309.tif 000003
【図２】
2013076309.tif 000004
【図３】
2013076309.tif 000005
【図４】
2013076309.tif 000006